【事件の表示】
　特願２００７−　　１６２６「フレキシブル回路基板、これを有するディスプレイユニット、及び表示装置」拒絶査定不服審判事件〔平成１９年　７月２６日出願公開、特開２００７−１８８０７８〕について、次のとおり審決する。
【結　論】
　本件審判の請求は、成り立たない。
【理　由】
１．手続の経緯
　本願は、平成１９年１月９日（パリ条約による優先権主張２００６年１月１３日、韓国）の出願であって、平成２２年１月５日付け、平成２４年１月１６日付け、及び同年９月１０日付けで手続補正がなされ、同年１２月６日付けで同年９月１０日付けの手続補正は却下されると同時に拒絶の査定がなされ、これに対し、平成２５年４月１７日に拒絶査定に対する審判請求がされると同時に手続補正書が提出されて特許請求の範囲を補正する手続補正がなされ、これらに対し、同年６月４日付けで審判請求人に前置報告書の内容を示し意見を求めるために審尋を行ったところ、同年９月９日付けで回答書が提出されたものである。
　なお、平成２５年４月１７日付けの特許請求の範囲を補正する手続補正は、補正前の請求項９の誤記を訂正するものである。
　
２．本願発明
　本願の請求項１に係る発明は、上記の平成２５年４月１７日付けの手続補正によって補正された特許請求の範囲、明細書、及び図面の記載からみて、上記特許請求の範囲の請求項１に記載された次のとおりのものと認める（以下「本願発明」という。）。 
「ベース基板と、
　前記ベース基板の一面に配置された駆動チップと、
　前記ベース基板の第１面に形成され、前記駆動チップの入力端子と電気的に連結された入力伝送ラインと、
　前記ベース基板の前記第１面に形成され、前記駆動チップの出力端子と電気的に連結された出力伝送ラインと、
　前記ベース基板上に形成され、前記入力伝送ライン及び前記出力伝送ラインを電気的に連結する連結伝送ラインと、を含むことを特徴とするフレキシブル回路基板。」
　
３．引用例
（３−１）引用例１
　原査定の拒絶の理由に引用され、本願の優先日前である平成１６年４月３０日に頒布された「特開２００４−１３３４２８号公報 」（以下「引用例１」という。）には，次の事項が記載されている。
・「図１９を参照しながら、信号伝播方式を説明する。図１９は、信号伝播方式の液晶表示装置における信号入力を示す図である。
ＴＣＰ６０１上には、液晶駆動用ＩＣ６０２と、液晶駆動用ＩＣ６０２に外部信号を入力するための信号入力配線６０３と、
隣接する各ＴＣＰ６０１に液晶駆動信号を出力するための中継配線６０６とが形成されている
　上記の記載事項を総合すると、引用例１には、次の発明（以下「引用発明１」という。）が記載されているものと認められる。
　「ＴＣＰ上には、液晶駆動用ＩＣと、液晶駆動用ＩＣに外部信号を入力するための信号入力配線と、隣接する各ＴＣＰに液晶駆動信号を出力するための中継配線とが形成されているＴＣＰ。」
（３−２）引用例２
　同じく引用された、本願の優先日前である平成１５年４月４日に頒布された特開２００３−１００９８２号公報（以下「引用例２」という。）には、以下の事項が記載されている。
・「
ガラス基板に接続端子を有する複数の半導体チップが並んで実装されるとともに半導体チップを駆動もしくは制御するための配線が成膜されている半導体チップの実装構造において、上記配線の一部は、複数の半導体チップに使用される共通配線として、並んで実装される複数の半導体チップの下を通るようにガラス基板に成膜され、上記共通配線の上に実装される半導体チップには、共通配線毎に複数箇所で接続するように接続端子を設ける一方、半導体チップの筐体内に上記共通配線と並列に接続するチップ内配線が設けられている
半導体チップの実装構造
・「前記ガラス基板は一対の基板間に液晶層が挟持された液晶表示パネルの一方の基板であり、前記
半導体チップは
液晶駆動用半導体チップであり
　上記の記載事項を総合すると、引用例２には、次の発明（以下「引用発明２」という。）が記載されているものと認められる。
　「ガラス基板に接続端子を有する複数の液晶駆動用半導体チップが並んで実装されるとともに液晶駆動用半導体チップを駆動もしくは制御するための配線が成膜されている液晶駆動用半導体チップの実装構造において、上記配線の一部は、複数の液晶駆動用半導体チップに使用される共通配線として、並んで実装される複数の液晶駆動用半導体チップの下を通るようにガラス基板に成膜され、上記共通配線の上に実装される液晶駆動用半導体チップには、共通配線毎に複数箇所で接続するように接続端子を設ける一方、液晶駆動用半導体チップの筐体内に上記共通配線と並列に接続するチップ内配線が設けられている液晶駆動用半導体チップの実装構造。」
　
４．対比
　そこで、本願発明と引用発明１とを対比すると、
後者における「液晶駆動用ＩＣ」は、その構造、機能、作用等からみて、前者における「駆動チップ」に相当し、以下同様に、「信号入力配線」は「入力伝送ライン」に、「中継配線」は「出力伝送ライン」に、それぞれ相当する。
　また、後者における「ＴＣＰ」は、Ｔａｐｅ　Ｃａｒｒｉｅｒ　Ｐａｃｋａｇｅの略語であって、フィルム状のテープキャリア上に駆動チップや伝送ラインを搭載して形成されたものであるから、前者における「フレキシブル回路基板」に相当するものであって、前者における「ベース基板」を備えるものである。
　また、後者の「液晶駆動用ＩＣ」は、ＴＣＰ上に形成されているから、「ＴＣＰ（ベース基板）の一面に配置された」といえ、信号入力配線からの外部信号を入力したり、中継配線へ液晶駆動信号を出力するから、入力端子、及び出力端子を有するものといえる。
　また、後者の「信号入力配線」は、ＴＣＰ上に形成され、液晶駆動用ＩＣに外部信号を入力するから、ＴＣＰの第１面に形成され、液晶駆動用ＩＣの入力端子と電気的に連結されたといえる。
　また、後者の「中継配線」は、ＴＣＰ上に形成され、隣接する各ＴＣＰに液晶駆動信号を出力するから、ＴＣＰの第１面に形成され、液晶駆動用ＩＣの出力端子と電気的に連結されたといえる。
　したがって、両者は、
「ベース基板と、
　前記ベース基板の一面に配置された駆動チップと、
　前記ベース基板の第１面に形成され、前記駆動チップの入力端子と電気的に連結された入力伝送ラインと、
　前記ベース基板の前記第１面に形成され、前記駆動チップの出力端子と電気的に連結された出力伝送ラインと、
　を含むフレキシブル回路基板。」
　の点で一致し、以下の点で相違している。
［相違点］
　本願発明は、「ベース基板上に形成され、入力伝送ライン及び出力伝送ラインを電気的に連結する連結伝送ラインと、」を含むのに対し、引用発明１は、そのようなものではない点。
　
５．当審の判断
　上記相違点について以下検討する。
　上記「３．（３−２）」のとおり、引用発明２における「液晶駆動用半導体チップ」は、その構造、機能、作用等からみて、本願発明における「駆動チップ」に相当する。
　また、引用発明２の「共通配線」は、液晶駆動用半導体チップを駆動もしくは制御するためのものであって、複数の液晶駆動用半導体チップに使用されるものとして、並んで実装される複数の液晶駆動用半導体チップの下を通るようにガラス基板に成膜され、上記共通配線の上に実装される液晶駆動用半導体チップには、共通配線毎に複数箇所で接続するように接続端子を設けているから、液晶駆動用半導体チップと電気的に連結された入力伝送ライン、液晶駆動用半導体チップと電気的に連結された出力伝送ライン、並びに入力伝送ライン及び出力伝送ラインを電気的に連結する連結伝送ラインを含んでいるといえる。
　また、引用発明２の「液晶駆動用半導体チップの接続端子」は、上記のとおり、共通配線が入力伝送ラインと出力伝送ラインと含み、液晶駆動用半導体チップと電気的に連結されているから、液晶駆動用半導体チップの入力端子、及び出力端子を備えているといえる。
　また、引用発明２の「液晶駆動用半導体チップの実装構造」は、ガラス基板と、入力伝送ライン、出力伝送ライン、及び連結伝送ラインを含む共通配線とからなって回路を構成しているから、回路基板といえる。
　してみると、相違点に係る本願発明の発明特定事項は、上記引用発明２に備えられている。
　また、一般に液晶表示装置において、配線抵抗を低減して、その表示品質を向上させるという課題は、本願の優先日前において周知の課題（例えば、特開平９−４４１００号公報の段落【００１３】、特開平７−２６３４８５号公報の段落【０００４】、特開２００４−１３３４７４号公報の段落【００２０】参照。）であるから、引用発明１においても内在する自明の課題である。
　してみると、引用発明１と引用発明２とは、液晶表示装置の回路基板という共通の技術分野に属するものであり、また配線抵抗を低減して、液晶表示装置の表示品質を向上させるという共通の課題を有するものであるから、引用発明１に引用発明２を適用することは、当業者が容易に想到し得るものである。
　したがって、引用発明１において、引用発明２を適用することにより、相違点に係る本願発明の発明特定事項とすることは、当業者が容易に想到し得るものである。
　
　そして、本願発明の全体の発明特定事項によって奏される効果も、引用発明１、及び引用発明２から当業者が予測し得る範囲内のものである。
　
６．むすび
　したがって、本願発明は、引用発明１、及び引用発明２に基づいて当業者が容易に発明をすることができたものであるから，特許法２９条２項の規定により特許を受けることができない。
　
　よって、結論のとおり審決する。